(57)【要約】【課題】この発明は、建造物に使用される本さね継手加工構造用合板であって、従来の施工の容易性をそのまま受け継ぎ、しかも構造上の強度の増強を目的になされたものである。【解決手段】互いに平行に対応する一方の側端面に雄さねを、他方の側端面に雌さねをそれぞれ形成して有する本さね加工構造パネルであって、前記雄さねは、平行な上面部と下面部を形成して備え、先端面部へ所要の長さで先端上下傾斜面部を形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長よりに深く、かつその巾面を雄さねの先端面部と同巾または僅かに大きく形成し、内底面部の上縁より上内壁面部に接続する内底上下傾斜面部を前記雄さねの先端上側傾斜面部と先端下側傾斜面部とに空隙を存して対面するように形成して備えてなる本さね継手加工構造パネル。【選択図】        図２
2004257145.tif 000002
【特許請求の範囲】
【請求項１】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さねと雌さね部分を通じて荷重と変位が効果的に伝達されて下地張りされた床面、壁面、屋根面等の剛性を増すことができる特徴を持つ本さね継手加工構造パネル。
【請求項２】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、その雄さね部分と雌さね部分の連接面には隙間またはギャップが生じないため、隙間のない密着した結合部分が荷重および変位を適切に伝達し、下地張りされた床面、壁面、屋根面等の剛性を増すことができる特徴を持つ本さね継手加工構造パネル。
【請求項３】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、雄さねの先端上下傾斜面部と雌さねまたは溝の内底上下傾斜面部に沿って形成される空間またはスペースにより、吸湿によって発生するそれぞれの木口面の膨張を吸収し、かつ雄さね部分と雌さね部分の結合部の変形を軽減する本さね継手加工構造パネル。
【請求項４】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、雄さねの先端上下傾斜面部と雌さねまたは溝の内底上下傾斜面部に沿って形成される空間またはスペースにより、雄さねおよび雌さねに用いられる接着剤を適正に収容接着して雄さねおよび雌さね相互の接着効果を高める本ざね継手加工構造パネル。
【請求項５】
互いに平行に対応する一方の側端面に雄さねを、他方の側端面に雌さねをそれぞれ形成して有する本さね加工構造パネルであって、前記雄さねは、平行な上面部と下面部を形成して備え、先端面部へ所要の長さで先端上下傾斜面部を形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長よりに深く、かつその巾面を雄さねの先端面部と同巾または僅かに大きく形成し、内底面部の上縁より上内壁面部に接続する内底上下傾斜面部を前記雄さねの先端上側傾斜面部と先端下側傾斜面部とに空隙を存して対面するように形成して備えてなる本さね継手加工構造パネル。
【請求項６】
互いに平行に対応する一方の側端面に雄さねを、他方の側端面に雌さねをそれぞれ形成して有する本さね継手加工構造パネルであって、前記雄さねは、先端面部への突出長を構造パネル厚の２／３を基準とする所要の長さで形成すると共に、構造パネルの側端面に接続する基部を構造パネル厚に対して１／３を基準とする所要の厚みで、互いに平行な基部上面部と基部下面部を形成して備え、かつ、それから先端面部へ先端上側傾斜面部と先端下側傾斜面部よりなる先端上下傾斜面部を形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長より僅かに深く、かつその巾面を雄さねの先端面部より僅かに大きく形成し、内底面部の上縁より上内壁面部に接続する内底上側傾斜面部と内底面部の下縁より下内壁面部に接続する内底下側傾斜面部からなる内底上下傾斜面部を形成し、その内底上側傾斜面部と内底面部と内底下側傾斜面部のそれぞれを前記雄さねの先端上下傾斜面部の先端上側傾斜面部と先端下側傾斜面部とに空隙を存して対面するように形成して備えてなる本さね継手加工構造パネル。
【発明の詳細な説明】
【０００１】
【発明が属する技術分野】
この発明は、建物に用いられる本さね継手加工構造パネルに関するものである。
【０００２】
【従来の技術】
従来、施工の容易を目的として、特開平２−２４４５０号公報により開示されたさね継構造パネル、特開平６−１１７０８１号公報により開示された突起および溝を具備するパネル等が提案されている。
【０００３】
【発明が解決しようとする課題】
前記従来の提案の特徴とするところは、雄さねの先端両側面を傾斜面とし、一方のパネルを傾斜状態で、その雄さねを他方のパネル雌さね溝口に差入れ易くし、また、雄さねの基端と雌さねの溝口とに隙間を構成して湿気によるパネルの伸縮に対応させた点にあった。
【０００４】
この発明は、前記従来の施工の容易性をそのまま受け継ぎ、建物の耐震性、耐久性から床構造、壁構造および屋根構造等の強度の増強を目的になされたものである。
【０００５】
【課題を解決するための手段】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さねと雌さね部分を通じて荷重と変位が効果的に伝達されて下地張りされた床面、壁面、屋根面等の剛性を増すことができる特徴を持つ本さね継手加工構造パネルにある。
【０００６】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、その雄さね部分と雌さね部分の連接面には隙間またはギャップが生じないため、隙間のない密着した結合部分が荷重および変位を適切に伝達し、下地張りされた床面、壁面、屋根面等の剛性を増すことができる特徴を持つ本さね継手加工構造パネルにある。
【０００７】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、雄さねの先端上下傾斜面部と雌さねまたは溝の内底上下傾斜面部に沿って形成される空間またはスペースにより、吸湿によって発生するそれぞれの木口面の膨張を吸収し、かつ雄さね部分と雌さね部分の結合部の変形を軽減する本さね継手加工構造パネルにある。
【０００８】
互いに平行に対応する一側の木口面に雄さねを、他方側の木口面に雌さねをそれぞれ形成して有する本さね継手加工構造パネルであって、前記一側の木口面と他側の木口面が突き合わされ、かつ形成されたそれぞれの雄さね部分と雌さね部分を連接して結合した時、雄さねの先端上下傾斜面部と雌さねまたは溝の内底上下傾斜面部に沿って形成される空間またはスペースにより、雄さねおよび雌さねに用いられる接着剤を適正に収容接着して雄さねおよび雌さね相互の接着効果を高める本ざね継手加工構造パネルにある。
【０００９】
互いに平行に対応する一方の側端面に雄さねを、他方の側端面に雌さねをそれぞれ形成して有する本さね加工構造パネルであって、前記雄さねは、平行な上面部と下面部を形成して備え、先端面部へ所要の長さで先端上下傾斜面部を形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長よりに深く、かつその巾面を雄さねの先端面部と同巾または僅かに大きく形成し、内底面部の上縁より上内壁面部に接続する内底上下傾斜面部を前記雄さねの先端上側傾斜面部と先端下側傾斜面部とに空隙を存して対面するように形成して備えてなる本さね継手加工構造パネルにある。
【００１０】
互いに平行に対応する一方の側端面に雄さねを、他方の側端面に雌さねをそれぞれ形成して有する本さね継手加工構造パネルであって、前記雄さねは、先端面部への突出長を構造パネル厚の２／３を基準とする所要の長さで形成すると共に、構造パネルの側端面に接続する基部を構造パネル厚に対して１／３を基準とする所要の厚みで、互いに平行な基部上面部と基部下面部を形成して備え、かつ、それから先端面部へ先端上側傾斜面部と先端下側傾斜面部よりなる先端上下傾斜面部を形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長より僅かに深く、かつその巾面を雄さねの先端面部より僅かに大きく形成し、内底面部の上縁より上内壁面部に接続する内底上側傾斜面部と内底面部の下縁より下内壁面部に接続する内底下側傾斜面部からなる内底上下傾斜面部を形成し、その内底上側傾斜面部と内底面部と内底下側傾斜面部のそれぞれを前記雄さねの先端上下傾斜面部の先端上側傾斜面部と先端下側傾斜面部とに空隙を存して対面するように形成して備えてなる本さね継手加工構造パネルとしてもよいものである。
【００１１】
【発明の実施の形態】
互いに平行に対応する一方の側端面に雄さねを、他方の側端面に雌さねをそれぞれ形成して有する本さね継手加工構造パネルであって、前記雄さねは、先端面部への突出長を構造パネル厚の２／３を越えない所要の長さで形成すると共に、構造パネルの側端面に接続する基部を構造パネル厚に対して１／３を越える所要の厚みで、互いに平行な基部上面部と基部下面部を形成して備え、かつ、それから先端面部へ先端上側傾斜面部と先端下側傾斜面部を対称に形成して備え、前記雌さねは、その溝口の巾を前記雄さねの基部上面部と基部下面部との厚み巾より僅かに大きく、互いに平行な上内壁面部と下内壁面部を対面し、前記雄さねの先端面部と対面する内底面部は、雄さねの先端面部の突出長より僅かに深く、かつその巾面を雄さねの先端面部より僅かに大きく形成し、内底面部の上縁より上内壁面部に接続する内底上側傾斜面部と、内底面部の下縁より下内壁面部に接続する内底下側傾斜面部をそれぞれ前記雄さねの先端上側傾斜面部と先端下側傾斜面部とに空隙を存して対面するように形成して備えてなる本さね継手加工構造パネル。
【００１２】
【実施例】
以下、この発明の本さね継手加工構造パネルは、一般の積層合板に加えて、ストランドボード、パーティクルボード、ハードボード（硬質繊維板）、ＭＤＦ（中質繊維板）に利用できるもので、先ず、単板を積層接着してなる合板に実施する第１の実施例の本さね継手加工構造パネル１を図１〜図４により説明すると、互いに平行に対応する一方の側端面１ａに雄さね２を、他方の側端面１ｂに雌さね３をそれぞれ形成して有するものである。
【００１３】
前記雄さね２は、合板の厚みに対して少なくとも１／３を基準とする所要の厚みで、合板の一方の側端面１ａに接続する基部２ａを、所要の長さ、互いに平行な基部上面部２ａ１と基部下面部２ａ２を形成して備え、それから先端面部２ｃへの全体突出長を本さね継手加工構造パネル１の厚みの２／３を越えない長さで、かつ雄さねの先端上下傾斜面部２ｂの実施例として、先端上側傾斜面部２ｂ１と先端下側傾斜面部２ｂ２を上下に対称に形成して備えるものである。
【００１４】
前記雌さね３は、その溝口３ａの巾を前記雄さね２の基部２ａの基部上面部２ａ１と基部下面部２ａ２との厚み巾より僅かに大きい間隔で、互いに平行な上内壁面部３ｂ１と下内壁面部３ｂ２を対面し、前記雄さね２の先端面部２ｃと対面する内底面部３ｃは、雄さね２の先端面部２ｃの突出長よりに深く、かつ雄さね２の先端面部２ｃと僅かに離隔するように形成し、内底面部３ｃより上内壁面部３ｂ１に接続する内底上側傾斜面部３ｄ１と、下内壁面部３ｂ２に接続する内底下側傾斜面部３ｄ２により内底上下傾斜面部３ｄを形成し、内底上側傾斜面部３ｄ１と内底下側傾斜面部３ｄ２のそれぞれを前記雄さね２の先端上側傾斜面部２ｂ１と先端下側傾斜面部２ｂ２とに空隙４、５を存して対面するように形成して備えてなる。
【００１５】
第１の実施例の本さね継手加工構造パネル１は、前述のように構成されるものであるから、図３に示すように、結合して施工することができるものである。そして、パネルの一方の側端面１ａである木口面と、他方の側端面１ｂである木口面が突合され、また、雄さね２における互いに平行な基部上面部２ａ１と、基部下面部２ａ２が雌さね３の上内壁面部３ｂ１と下内壁面部３ｂ２にそれぞれ接面しているので、それらの部分を通じて荷重と変位が伝達されて構造体の剛性を確保することができるものである。
【００１６】
また、前記パネルの一方の側端面１ａに雄さね２における互いに平行な基部上面部２ａ１と基部下面部２ａ２に続き、先端上側傾斜面部２ｂ１と先端下側傾斜面部２ｂ２が先端面部２ｃとの間において形成されているから、例えば、床下張りの施工において、水平に置かれたパネルの他方の側端面１ｂに対してパネルの一方の側端面１ａを対応させ、雌さね３に雄さね２の差し込みを、雄さね２側のパネルを支持面１１に接し、他側を持ち上げて全体を斜めに傾けた状態で行なうことができ、また、その差し込みを容易に行なうことができ、従来の支持面１１に落として行う水平移動に比較し、作業の容易性と能率を飛躍的に向上させることができるものである。また、雄さね２には、基部２ａはパネル厚みに対して少なくとも１／３を基準とする所要の厚みで、先端面部２ｃまでの突出長がパネル厚の２／３を基準とする所要の長さで形成されいているから上記施工時に必要とする強度と、施工後に必要とする接合強度を確保することができるものである。
【００１７】
さらに、雄さね２の先端面部２ｃの先端上側傾斜面部２ｂ１、先端下側傾斜面部２ｂ２と、雌さね３の内底上側傾斜面部３ｄ１と、内底下側傾斜面部３ｄ２とにより構成された空隙４、５に、雄さね２に塗布された接着剤を雄さね２の先端面部２ｃへ雌さね３との嵌め合いで押し出して収容することができ、接着剤を雄さね２と雌さね３における相互の連接面に適正に配して接着施工を行える効果があるのである。
【００１８】
この発明の第１の実施例の本さね継手加工構造パネル１の具体的寸法は、図４に示すとおりである。また、パネルの厚みについては、１２ｍｍに限定されるものではなく、１５ｍｍ、２１ｍｍ、２４ｍｍの規格寸法と、任意に設定される寸法でにあてはめることができるものである。また、雄さね２と、雌さね３の寸法についても等倍、若しくは前記実施例を基準に増減して決めることができるものである。
【００１９】
次に、同じく、この発明の本さね継手加工構造パネルに実施する第２の実施例の本さね継手加工構造パネル６を図５〜図８により説明すると、互いに平行に対応する一方の側端面６ａに雄さね７を、他方の側端面６ｂに雌さね８をそれぞれ形成して有する。
【００２０】
前記雄さね７は、先端面部７ｃへの全体突出長を合板の厚みの２／３を基準とする所要の長さで形成すると共に、合板の一方の側端面６ａに接続する基部７ａを、合板厚の１／３を基準とする所要の厚みで、所要の長さの互いに平行な基部上面部７ａ１と基部下面部７ａ２に形成し、それから先端面部７ｃへの残余長を実施例として先端上下傾斜面部７ｂとし、上下に対称な先端上側傾斜面部７ｂ１と先端下側傾斜面部７ｂ２を形成して備えるものである。
【００２１】
前記雌さね８は、その溝口８ａの巾を前記雄さね７の基部７ａの基部上面部７ａ１と基部下面部７ａ２との厚み巾より僅かに大きい間隔で、互いに平行な上内壁面部８ｂ１と下内壁面部８ｂ２を対面し、前記雄さね７の先端面部７ｃと対面する内底面部８ｃは、雄さね７の先端面部７ｃの突出長よりに深く、かつ雄さね７の先端面部７ｃと僅かに離隔するように形成し、内底面部８ｃより上内壁面部８ｂ１に接続する内底上側傾斜面部８ｄ１と下内壁面部８ｂ２に接続する下側傾斜内底面部８ｄ２により内底上下傾斜面部８ｄを形成し、内底上側傾斜面部８ｄ１と下側傾斜内底面部８ｄ２のそれぞれを前記雄さね７の先端上側傾斜面部７ｂ１と先端下側傾斜面部７ｂ２とに空隙９、１０を存して対面するように形成して備えてなるものである。
【００２２】
第２の実施例の本さね継手加工構造パネル６は、前述のように構成されるものであるから、図６に示すように、結合して施工することができるものである。そして、第１の実施例の本さね継手加工構造パネル１と同様に、パネルの一方の側端面６ａである木口面と、他方の側端面６ｂである木口面が突合され、また、雄さね７における互いに平行な基部上面部７ａ１と、基部下面部７ａ２が雌さね８の上内壁面部８ｂ１と下内壁面部８ｂ２にそれぞれ接面しているので、それらの部分を通じて荷重と変位が伝達されて構造体の剛性を確保することができるものである。
【００２３】
また、この第２の実施例の本さね継手加工構造パネル６は、前記第１の実施例と相違し、前記合板の一方の側端面６ａに雄さね７における互いに平行な基部上面部７ａ１と、基部下面部７ａ２に続く先端面部７ｃに至る部分を先端上下傾斜面部７ｂとし、先端上側傾斜面部７ｂ１と、先端下側傾斜面部７ｂ２に形成され、その先端面部７ｃの上下幅を前記第１の実施例の先端面部２ｃの上下幅に比較して狭くしているから、尖頭に形成されており、例えば、床下張りの施工において、水平に置かれたパネルの他方の側端面６ｂに対してパネルの一方の側端面６ａを対応させ、雌さね８に対する雄さね７の差し込みを、雄さね７側の一方の側端面６ａの下縁を支持面１２に接し、他側を持ち上げて角度を大きく、全体を斜めに傾けた状態で行なうことができ、前記第１の実施例に比較してさらに、容易に嵌め込み移動を行うことができ、作業の容易性と能率を向上させることができる。
【００２４】
さらに、雄さね７の先端面部７ｃに至る部分を先端上下傾斜面部７ｂとし、その先端上側傾斜面部７ｂ１、先端下側傾斜面部７ｂ２と、雌さね８の内底上側傾斜面部８ｄ１と、内底下側傾斜面部８ｄ２とにより構成された空隙９、１０に雄さね７に塗布された接着剤を押し込んで収容することができ、第１の実施例の本さね継手加工構造パネル１と同様に、接着剤施工において効果があるのである。
【００２５】
次に、この発明の第２の実施例の本さね継手加工構造パネル６の具体的寸法は、図８に示すとおりである。また、パネルの厚みについては、前記第１の実施例の本さね継手加工構造パネル１と同様に１２ｍｍに限定されるものではなく、１５ｍｍ、２１ｍｍ、２４ｍｍの規格寸法と、任意に設定される寸法にあてはめることができるものである。また、雄さね７と、雌さね８の寸法についても等倍、若しくは前記実施例を基準に増減して決めることができる。
【００２６】
【発明の効果】
この発明の本さね継手加工構造パネルは、以上のようになるから、パネルに受ける荷重、曲げ応力をさね部を通じて効果的に伝達し、構成する床面、壁面、屋根面等の強度の向上に寄与するものである。
【００２７】
また、雄さねの先端面部と雌さねの内底面部に押し出される余分の接着剤は、雌さねの内底上側傾斜面部と雄さねの先端上側傾斜面部で構成する空隙と、雌さねの内底下側傾斜面部と雄さねの先端下側傾斜面部とで構成する空隙に収容することができ、スムーズな嵌合施工と強固な両者の接着をすることができるものである。
【００２８】
また、雄さねの基部上面部を雌さねの上内壁面部に、雄さねの基部下面部を雌さねの下内壁面部にそれぞれ嵌入接触するからその間に介在する接着剤により強固に接着し、横断方向の応力に対しても優れた強度を発揮する壁面、屋根面が施工できるものである。
【００２９】
上記この発明の第１および第２の実施例の本さね継手加工構造パネルより施工された床面、壁面の剛性が高められることを実証するために、独立行政法人森林総合研究所において、実物大の試験体を用いて床面の集中荷重試験を行い、局部的荷重に対するたわみ量と破壊荷重を求めると共に、それぞれのさね加工部分において応力が伝達されているかの実証試験を行った結果、床の水平構造面の強度は十分に実証された。
【００３０】
上記この発明の第１および第２の実施例の本さね継手加工構造パネルは、単板を積層接着してなる合板についての実施例であったが、その特徴とする形状および構造は、ストランドボード、パーティクルボード、ハードボード（硬質繊維板）、ＭＤＦ（中質繊維板）に実施し、その技術的効果を奏するものである。
【００３１】
よって、この発明の本さね継手加工構造パネルは、以上のようになるから、従来の施工の容易性をそのまま受け継ぎ、また、使用建造物の床面、壁面および屋根面等の強度の飛躍的増強に多大の寄与をもたらすものである。
【図面の簡単な説明】
【図１】この発明の第１実施例の本さね継手加工構造パネルの要部を対応して示す斜視図である。
【図２】同じく、要部を対応して示す側面図である。
【図３】同じく、要部を接合した状態を示す側面図である。
【図４】この発明の第１実施例の本さね継手加工構造パネルの具体的寸法例を示す対応側面図である。
【図５】この発明の第２実施例の本さね継手加工構造パネルの要部を対応して示す斜視図である。
【図６】同じく、第２実施例の要部を対応して示す側面図である。
【図７】同じく、第２実施例の要部を接合した状態を示す側面図である。
【図８】この発明の第２実施例の本さね継手加工構造パネルの具体的寸法例を示す対応側面図である。
【符号の説明】
１  第１の実施例の本さね継手加工構造パネル
１ａ  一方の側端面
１ｂ  他方の側端面
２  雄さね
２ａ  基部
２ａ１  基部上面部
２ａ２  基部下面部
２ｂ  先端上下傾斜面部
２ｂ１  先端上側傾斜面部
２ｂ２  先端下側傾斜面部
２ｃ  先端面部
３  雌さね
３ａ  溝口
３ｂ１  上内壁面部
３ｂ２  下内壁面部
３ｃ  内底面部
３ｃ１  上縁
３ｃ２  下縁
３ｄ  内底上下傾斜面部
３ｄ１  内底上側傾斜面部
３ｄ２  内底下側傾斜面部
４  空隙
５  空隙
６  第２の実施例の本さね継手加工構造パネル
６ａ  一方の側端面
６ｂ  他方の側端面
７  雄さね
７ａ  基部
７ａ１  基部上面部
７ａ２  基部下面部
７ｂ  先端上下傾斜面部
７ｂ１  先端上側傾斜面部
７ｂ２  先端下側傾斜面部
７ｃ  先端面部
８  雌さね
８ａ  溝口
８ｂ１  上内壁面部
８ｂ２  下内壁面部
８ｃ  内底面部
８ｃ１  上縁
８ｃ２  下縁
８ｄ  内底上下傾斜面部
８ｄ１  内底上側傾斜面部
８ｄ２  内底下側傾斜面部
９  空隙
１０  空隙
１１  支持面
１２  支持面
【図１】
2004257145.tif 000003
【図２】
2004257145.tif 000004
【図３】
2004257145.tif 000005
【図４】
2004257145.tif 000006
【図５】
2004257145.tif 000007
【図６】
2004257145.tif 000008
【図７】
2004257145.tif 000009
【図８】
2004257145.tif 000010